(57)【要約】      （修正有）【課題】手に窮屈感が生じないとともに、耐久性、美観性に優れた作業用手袋を提供する。【解決手段】親指３ａの先端部３ａ００から下方に位置する当該親指３ａの第一関節３ａ１２の上方近傍までの領域と、人差指３ｂの先端部３ｂ００から当該人差指３ｂの第一関節３ｂ１２の上方近傍までの領域と、人差指３ｂの第一関節３ｂ１２の下方近傍から当該人差指３ｂの第二関節３ｂ２３の上方近傍までの領域と、人差指３ｂの第二関節３ｂ２３の下方近傍と、中指３ｃ、薬指３ｄ、小指３ｅの中手指節関節の上方近傍とを結ぶ線Ｌ１と、人差指３ｂの中手指節関節の下方近傍と、中指３ｃ、薬指３ｄ、小指３ｅの手根中手関節の上方近傍とを結ぶ線Ｌ２とに囲まれた領域とに対応する掌面親指材、掌材１１の内側に５つの補強材２１，２２等を縫合して作業用手袋を構成する。【選択図】図３
0003157045.tif 000002
【実用新案登録請求の範囲】
【請求項１】
掌材と甲材とを縫合した作業用手袋において、
親指の先端部から下方に位置する当該親指の第一関節の上方近傍までの領域と、
人差指の先端部から当該人差指の第一関節の上方近傍までの領域と、
人差指の第一関節の下方近傍から当該人差指の第二関節の上方近傍までの領域と、
人差指の第二関節の下方近傍と、中指、薬指、小指の中手指節関節の上方近傍とを結ぶ線と、人差指の中手指節関節の下方近傍と、中指、薬指、小指の手根中手関節の上方近傍とを結ぶ線とに囲まれた領域と
に対応する掌材の内側に補強材を縫合したことを特徴とする作業用手袋。
【請求項２】
更に、中指の先端部から当該中指の第一関節の上方近傍までの領域に対応する掌材の内側に補強材を縫合したことを特徴とする請求項１に記載の作業用手袋。
【考案の詳細な説明】
【技術分野】
【０００１】
本考案は、作業用手袋に関し、詳しくは、手に窮屈感が生じないとともに、耐久性、美観性に優れた作業用手袋に関する。
【背景技術】
【０００２】
作業、スポーツ、レジャー等において使用される手袋（以下、作業用手袋という）では、スポーツやレジャーや或いは作業（以下、単に作業という）をする際に物に対して接触頻度が高い掌（手の平）側の生地が最も早く損傷、磨耗するため、様々な形状の補強材を掌側に積層することによって当該掌側の生地に耐久性を付与し、手袋全体として耐久性を向上させた作業用手袋が従来から市販されている。
【０００３】
前記補強材は、掌から指の付根に掛けての領域、更に当該領域に連続するようにして手指の第１又は第２関節までの領域をカバーする形状に裁断され、縫着、接着、溶着等の手法によって下地となる手袋本体の表面又は内面に積層するように構成されている。
【０００４】
図５は、従来品の作業用手袋５の底面図（図５（Ａ））と平面図（図５（Ｂ））である。
【０００５】
従来品の作業用手袋５では、図５に示すように、掌材５１の外面から、当該掌材５１の人差指材５１ａの付根の上方近傍から手首側に至るまでの領域に補強材５２となる生地を積層させて縫合するよう構成している。当該構成により、工具等の物を掴む際に、当該物との接触の頻度が高い掌材５１の掌の生地が二重に積層されて補強されるため、長期間使用したとしても掌材５１の掌の生地と補強材５２とを貫通する貫通穴（貫通孔）が発生し難くなり、作業用手袋５全体の耐久性を向上させることが可能となるとしている。又、補強材５２は、作業用手袋５の外面から縫合するため、既に作成完了後の作業用手袋に対して容易に補強することが可能となるとしている。
【０００６】
又、補強材が積層された作業用手袋の使用態様や装着者の個人差によって、物を掴んで作業する際に、掌材の掌の生地よりも、手指の先端部から当該手指の第一関節位置までの指先部分に、指の把持力が印加される場合がある。その場合、指先部分に、指と物との接触が集中し、当該指先部分の生地が磨耗して貫通穴が空くことがある。
【０００７】
このような穴空きを防止するために、掌材の人差指材の付根の上方近傍から手首側に至るまでの領域に、前記指先部分を含めて、掌材全体に前記補強材を積層する構成も考えられ、現実にそのような構成の作業用手袋も提供されている。
【０００８】
しかしながら、掌材全体に補強材を積層する構成では、手指の生地も含めて掌材が二重に積層されるため、掌材全体が剛性を有し、各指先が曲げ難くなって、手指の曲げ伸ばし動作に伴う細やかな作業を行い難くなり、その結果、すぐに手が疲れるという問題がある。
【０００９】
当該問題を解決するために、例えば、本出願人が出願した実用新案登録第３０１５２８８号公報（特許文献１）には、手指の先端部より、該先端部に最も近い関節位置までの、少なくとも掌側の領域に補強材を積層してなる手袋が開示されている。当該構成により、指先部分に荷重が集中するような使用態様や装用者の個人差があった場合にも破れ、損傷、磨耗を防止することとなり、しかも指の関節部分を補強材で被覆しないので指の曲げ伸ばし動作を阻害することがなく、作業性が損なわれない効果を奏するとしている。
【００１０】
更に、特開２００６−４５６８９号公報（特許文献２）には、手の平側を覆うための手の平側基材および手の平側指部と、手の甲側を覆うための手の甲側基材および手の甲側指部とから形成される作業用手袋であって、前記手の平側指部の先端部を覆う補強材を有し、前記補強材は、前記手の平側指部の内面側に縫合されていることを特徴とする作業用手袋が開示されている。当該構成により、補強材による段差を外面側に生じないことから、作業時において、部品を引っ掛けたりするようなことがなく、作業性を向上させることができるとしている。又、外面側で位置ずれを起こさないため、作業時の感覚が従来よりも伝わり易く、更に、補強材が内面側に縫合されており、外面側をすっきりしたデザインにできるため、美観性を向上させることができるとしている。そして、指先部分に補強材を縫合するだけで補強ができるので、安価に製造できるとともに、作業用手袋自体の長寿命化を図ることができるとしている。
【先行技術文献】
【特許文献】
【００１１】
【特許文献１】登録実用新案公報第３０１５２８８号公報
【特許文献２】特開２００６−４５６８９号公報
【考案の概要】
【考案が解決しようとする課題】
【００１２】
しかしながら、特許文献１又は２に記載の技術では、作業用手袋の耐久性は向上するものの、掌を曲げる際に軸となる掌の節の部分（手の指の関節の部分）にも補強材が縫合された状態となるため、作業中に手に窮屈感が残るという問題がある。
【００１３】
又、補強材を積層させる従来技術では、補強材を掌材に縫合すると、作業用手袋全体の耐久性が当然に向上するが、当該補強材を掌材に縫合する作業に手間が掛かるという問題がある。そのため、作業用手袋の掌材に縫合する補強材の数が増えれば増えるほど、作業用手袋の作成に要する作成時間が長時間化して、コスト高となるという問題がある。特に、穴空き防止に寄与していない補強材が存在するとすれば、作成時間が長時間化するとともに補強材が無駄となるため、コストパフォーマンスに劣るという問題がある。
【００１４】
又、従来技術では、穴が生じない又は生じにくい掌材の所定の領域に補強材が縫合されている場合があり、未だに効率的な補強材の積層が実現されていないという実情がある。
【００１５】
更に、補強材を掌材の外面に縫合する場合、補強材が外面に現れるという点から補強材に用いる生地に、傷の無い綺麗な新品の生地、又は傷の少ない生地を採用していた実情がある。このような新品の生地を、例えば、傷がある等のＢ級品の生地に代替出来れば、作業用手袋のコストダウンを更に図れる可能性がある。
【００１６】
そこで、本考案は、前記問題を解決するためになされたものであり、手に窮屈感が生じないとともに、耐久性、美観性に優れた作業用手袋を提供することを目的とする。
【課題を解決するための手段】
【００１７】
上述した課題を解決し、目的を達成するために、本考案に係る手袋は、掌材と甲材とを縫合した作業用手袋を前提とする。当該作業用手袋において、親指の先端部から下方に位置する当該親指の第一関節の上方近傍までの領域と、人差指の先端部から当該人差指の第一関節の上方近傍までの領域と、人差指の第一関節の下方近傍から当該人差指の第二関節の上方近傍までの領域と、人差指の第二関節の下方近傍と、中指、薬指、小指の中手指節関節の上方近傍とを結ぶ線と、人差指の中手指節関節の下方近傍と、中指、薬指、小指の手根中手関節の上方近傍とを結ぶ線とに囲まれた領域とに対応する掌材の内側に補強材を縫合したことを特徴とする。
【００１８】
当該構成により、補強材は、親指の第一関節、人差指の第一関節、第二関節、中指、薬指、小指の手根中手関節を除いた領域に縫合されており、装着者が物を把持する際に補強材は親指の第一関節等に当接しないため、物を把持する作業に伴う手指と掌の曲げ伸ばし動作を阻害することがなく、装着者が手指や掌を曲げて物を容易に把持することが可能となる。又、手に窮屈感やごろつき感が生じることもない。そして、手で物を把持する際に、物との接触頻度が高い掌の所定の領域と、人差指の掌面部と、親指の指先部とに補強材が縫合されているため、作業により作業用手袋の生地に生じる貫通穴の発生を効率的に防止することが可能となる。更に、穴空き防止に寄与しない無駄な補強材が発生することなく、無駄な補強材を縫合する手間を最小限に抑える構成を採用しているから、コストパフォーマンスを向上させることが可能となる。
【００１９】
又、補強材を掌材の内側から縫合しているから、補強材の縫い代が掌材の外面に現れることがないため、美観性が優れるとともに、物を把持する作業中に、補強材の縫い代を物に引っ掛けて、補強材と掌材とを縫い付けている縫い糸が解れたり切れたりすることがなく耐久性も向上させることが可能となる。更に、補強材となる生地に新品同様の生地を用いる必要がなくＢ級品の生地を使用しても構わないから、作業用手袋のコストパフォーマンスを更に向上させることが可能となる。
【００２０】
更に、中指の先端部から当該中指の第一関節の上方近傍までの領域に対応する掌材の内側に補強材を縫合するよう構成することが出来る。
【００２１】
当該構成により、手で物を掴む際に、親指と人差指との次に、物との接触頻度が高い中指の指先部に補強材が縫合されるため、作業用手袋の生地に生じる貫通穴の発生を更に効率的に防止することが可能となる。
【考案の効果】
【００２２】
本考案の手袋によれば、作業中に掌全体に掛かる窮屈感を軽減するとともに、掌材が容易に破れることがなく耐久性を向上させることが可能となる。又、掌材の内側から補強材を縫合することによって補強材の縫い代が外部に露出しないから、美観性に優れるとともに、縫い代が物に引っ掛かる等のトラブルも生じることがない。更に、物を把持する際に当該物との接触頻度が高い掌材の所定領域に絞って補強材を設けているため、従来の作業用手袋と比較すると、無駄となる補強材の発生を防止するとともに、補強材を縫合する作業量を減少させ、コストパフォーマンスを高めることが可能となる。
【図面の簡単な説明】
【００２３】
【図１】本考案の実施形態に係る作業用手袋１の底面図（図１（Ａ））と平面図（図１（Ｂ））である。
【図２】本考案の実施形態に係る作業用手袋１を裏返しにした状態の底面図（図２（Ａ））と平面図（図２（Ｂ））である。
【図３】手の骨格を示す図を示す図（図３（Ａ））と手に本考案に係る作業用手袋を装着した状態を示す図（図３（Ｂ））である。
【図４】本考案の実施形態に係る手袋の各パーツの展開図である。
【図５】図５は、従来品の作業用手袋５の底面図（図５（Ａ））と平面図（図５（Ｂ））である。
【考案を実施するための形態】
【００２４】
以下に本考案に係る作業用手袋の実施の形態を図面に基づき詳細に説明するが、本考案はこれに限定されるものではない。尚、以下に示す図面の作業用手袋は左手用であるが、これが右手用であっても実質的に差異はない。
【００２５】
図１は、本考案の実施形態に係る作業用手袋１の底面図（図１（Ａ））と平面図（図１（Ｂ））である。図２は、本考案の実施形態に係る作業用手袋１を裏返しにした状態の底面図（図２（Ａ））と平面図（図２（Ｂ））である。尚、図１乃至図２の上下方向が作業用手袋１の上下方向に対応し、図１乃至図２の左右方向が作業用手袋１の左右方向に対応する。又、図１乃至２では、作業用手袋１に存在する縫目のうち、本考案に係る主要な縫目について破線で表示し、他の縫目は省略している。
【００２６】
図１、図２に示すように、本考案の作業用手袋１では、主として、親指の掌面を覆う掌面親指材１０と、掌を覆う掌材１１と、中指を覆う掌面中指材１２と、薬指を覆う掌面薬指材１３と、親指の甲面を覆う甲面親指材１４と、手の甲を覆う甲材１５と、手首を覆う袖部１６と、袖部１６の両端を締結する締結バンド１７と、手指の掌面部の所定領域と掌の所定領域とを覆う５つの補強材２１〜２５とが縫合されて形成される。
【００２７】
ここで、まず、５つの補強材２１〜２５について説明する前に、図３Ａを用いて、人の手の骨格について簡単に説明する。
【００２８】
図３Ａは、手の骨格を示す図を示す図である。尚、図３Ａの上下方向が手の上下方向に対応し、図３Ａの左右方向が手の左右方向に対応する。
【００２９】
図３Ａに示すように、人の手３の指の骨（指骨３０という）の構成は、主として、親指３ａの骨の構成と、人差指３ｂから中指３ｃ、薬指３ｄ、小指３ｅまでの骨の構成とに分類することが出来る。
【００３０】
即ち、親指３ａの骨３ａ０の構成は、上から下までの順番（親指３ａの先から掌に向かう順番）に、末節骨３ａ１と、基節骨３ａ２とから構成され、末節骨３ａ１と基節骨３ａ２との間に指節間関節３ａ１２（親指の第一関節という）が存在する。
【００３１】
又、人差指３ｂの骨３ｂ０の構成は、上から下までの順番に、末節骨３ｂ１と、中節骨３ｂ２と、基節骨３ｂ３とから構成され、末節骨３ｂ１と中節骨３ｂ２との間に遠位指節間関節３ｂ１２（人差指３ｂの第一関節という）が存在し、中節骨３ｂ２と基節骨３ｂ３との間に近位指節間関節３ｂ２３（人差指３ｂの第二関節という）が存在する。尚、中指３ｃ、薬指３ｄ、小指３ｅの骨の構成は、人差指３ｂの骨の構成と同様であるため、その説明を省略する。
【００３２】
次に、人の手３の骨は、上述した指骨３０と、中手骨３４と、手根骨３５とから構成され、中手骨３４は、親指３ａから小指３ｅまでの各指にそれぞれ設けられている。そして、親指３ａの基節骨３ａ２と親指３ａの中手骨３ａ４との間に中手指節関節３ａ２４が存在し、親指３ａの中手骨３ａ４と手根骨３５との間に手根中手関節３ａ４５が存在する。尚、人差指３ｂ、中指３ｃ、薬指３ｄ、小指３ｅの関節については、親指３ａの関節と同様であるため、その説明を省略する。
【００３３】
さて、次に、図３Ｂを用いて、本考案に係る作業用手袋１の５つの補強材２１〜２５について説明する。
【００３４】
図３Ｂは、手に本考案に係る作業用手袋を装着した状態を示す図である。尚、図３Ｂの上下方向が手の上下方向に対応し、図３Ｂの左右方向が手の左右方向に対応する。
【００３５】
図３Ｂに示すように、第一の補強材２１は、親指３ａの先端部３ａ００から下方に位置する当該親指３ａの第一関節３ａ１２の上方近傍までの領域（親指の指先部に相当する領域）に対応する掌面親指材１０の内側に縫合される。当該構成により、装着者が親指３ａを曲げる際に、第一の補強材２１が親指３ａの第一関節３ａ１２に当接せずに親指３ａの曲げ作業を阻害しないため、装着者は親指３ａを自由に曲げることが可能となる。又、装着者が物を把持する際に、親指３ａの把持力が頻繁に印加される掌面親指材１０の指先部近傍の生地を第一の補強材２１により二重としているため、当該把持力と当該物との接触により当該生地に貫通穴が生じ難くなり、作業用手袋１の耐久性を向上させることが可能となる。
【００３６】
又、第二の補強材２２は、人差指３ｂの先端部３ｂ００から当該人差指３ｂの第一関節３ｂ１２の上方近傍までの領域に対応する掌材１１の人差指材１１ａの内側に縫合される。更に、第三の補強材２３は、人差指３ｂの第一関節３ｂ１２の下方近傍から当該人差指３ｂの第二関節３ｂ２３の上方近傍までの領域に対応する掌材１１の人差指材１１ａの内側に縫合される。当該構成により、上述した第一の補強材２１と同様に、第二の補強材２２と第三の補強材２３とが、人差指３ｂの第一関節３ｂ１２と第二関節３ｂ２３とを避けて掌材１１の人差指材１１ａの生地を補強することとなるから、物を把持する際に装着者が人差指３ｂを自由に曲げることが可能となるとともに、当該物との接触が頻繁に生じる人差指材１１ａの指先部近傍の生地が二重となり、作業用手袋１の耐久性をより向上させる。
【００３７】
更に、第四の補強材２４は、人差指３ｂの第二関節３ｂ２３の下方近傍と、中指３ｃ、薬指３ｄ、小指３ｅの中手指節関節３ｃ３４、３ｄ３４、３ｅ３４の上方近傍とを結ぶ上方ラインＬ１と、人差指３ｂの中手指節関節３ｂ３４の下方近傍と、中指３ｃ、薬指３ｄ、小指３ｅの手根中手関節３ｃ４５、３ｄ４５、３ｅ４５の上方近傍とを結ぶ下方ラインＬ２とに囲まれた領域に対応する掌材１１の内側に縫合される。ここで、中指３ｃ、薬指３ｄ、小指３ｅの中手指節関節３ｃ３４、３ｄ３４、３ｅ３４の上方近傍は、中指３ｃ、薬指３ｄ、小指３ｅの付根位置の下方近傍に対応する。又、人差指３ｂの中手指節関節３ｂ３４の下方近傍は、人差指３ｂと親指３ａとの股の位置、或いは親指３ａの付根位置の上方近傍に対応する。更に、中指３ｃ、薬指３ｄ、小指３ｅの手根中手関節３ｃ４５、３ｄ４５、３ｅ４５の上方近傍は、掌を曲げた際に当該掌の掌面を左から右に掛けて横切るように生じる節（皺）の下方近傍に対応する。そして、図３Ｂに示すように、第四の補強材２４は、屈曲部Ｂが親指袋の付根近傍に位置する略Ｌ字状の形状である。
【００３８】
当該構成により、第四の補強材２４が、親指３ａ、中指３ｃ、薬指３ｄ、小指３ｅの付根位置、人差指３ｂの第二関節、中指３ｃ、薬指３ｄ、小指３ｅの手根中手関節３ｃ４５、３ｄ４５、３ｅ４５を避けて掌材１１の掌面部の中央領域近傍を補強することとなるから、装着者が手で物を掴む際に、第四の補強材２４が手の曲げ動作を阻害することがなく手に窮屈感を与えることがない。又、装着者が手で物を掴む際に、当該物の角部、胴体部を受け入れる掌材１１の掌面部の中央領域近傍（物の角部、胴体部との接触が頻繁に生じる掌面部の領域）の生地が二重となるから、作業用手袋１の耐久性を更に向上させる。
【００３９】
そして、第五の補強材２５は、中指３ｃの先端部３ｃ００から当該中指３ｃの第一関節３ｃ１２の上方近傍までの領域に対応する掌面中指材１２の内側に縫合される。当該構成により、第五の補強材２５が、中指３ｃの第一関節３ｃ１２を避けて掌面中指材１２を補強することとなるから、物を把持する際に装着者が中指３ｃを自由に曲げることが可能となるとともに、中指の把持力が頻繁に印加される掌面中指材１２の指先部近傍の生地が二重となるため、作業用手袋１の耐久性を向上させることが可能となる。
【００４０】
このように、上述した５つの補強材２１〜２５は、装着者が手で物を把持する際に、物との接触頻度が高い掌の所定の領域と、人差指の掌面部と、親指の指先部とを補強しているため、作業用手袋の生地に生じる貫通穴の発生を効率的に防止することが可能となる。更に、穴空き防止に寄与しない無駄な補強材が発生することなく、無駄な補強材を縫合する手間を最小限に抑える構成を採用しているから、コストパフォーマンスを向上させることが可能となる。
【００４１】
又、５つの補強材２１〜２５は作業用手袋１の内側に縫合されているため、図１Ａ、図１Ｂに示すように、５つの補強材２１〜２５と掌材１１とを縫合している縫い糸は外面に露出されるものの、５つの補強材２１〜２５の縫い代が外面に露出されないから、美観性に優れるとともに、作業用手袋１を装着して物を掴んだり離したりしている最中に、補強材２１〜２５の縫い代が物に引っ掛かって縫い糸が解れたり切れたりすることもない。更に、多少痛んだ生地（例えば、Ｂ級品の生地）であっても補強材として採用することが可能となり、コストパフォーマンスに優れる。
【００４２】
本考案に係る作業用手袋１について更に詳細に説明する。
【００４３】
５つの補強材２１〜２５は、主として、縫合される作業用手袋１の所定領域の生地に対して周縁部が縫合されるが、図１Ａ、図２Ａに示す第四の補強材２４のように、第四の補強材２４の内部を上下ジグザグのジグザグ線となるよう縫合しても構わない。当該構成により、第四の補強材２４が掌材１１に対して強固に縫合されるから、第四の補強材２４が縫合されている掌材１１の生地の一部に穴が空いても、第四の補強材２４が掌材１１から剥がれ落ちることがなく、長期間に渡って第四の補強材２４の生地を無駄なく利用することが可能となる。
【００４４】
又、掌材１１の人差指材１１ａの右端部１１ｂは、図１Ｂ、図２Ｂに示すように、人差指３ｂの右側面部と人差指３ｂの甲面部の半分とを覆うように、人差指３ｂの掌面部から当該人差指３ｂの甲面部の半分まで幅広に延出されている。当該構成により、第三の補強材２３、第四の補強材２４が掌材１１の人差指材１１ａの内側に縫合されたとしても、各補強材２３、２４の縫い代が人差指材１１ａの掌面部に位置することがないため、装着者が人差指３ｂを使って物を把持しても、当該掌面部に第三の補強材２３、第四の補強材２４の縫い代による段差が生じることがなく、補強材による違和感を人差指３ｂに与えることがない。又、第三の補強材２３、第四の補強材２４が、掌材１１の人差指材１１ａの右端部１１ｂからはみ出すことなく、当該掌材１１の生地内に納めて縫合することが可能となるため、縫合作業が複雑とならずに済む（後述する）。
【００４５】
又、作業用手袋１の小指袋側の下方には、切欠ｋが設けられており、当該切欠ｋの下方の両端部を締結するように、袖部１６に締結ベルト１７が設けられている。当該構成により、締結ベルト１７を袖部１６から外せば、作業者が作業用手袋１の開口部ｋ０を大きく開くことが可能となり、作業用手袋１の手への着脱を容易にする。又、締結ベルト１７を袖部１６に取り付ければ、作業者毎に作業用手袋１のフィット感を調整することが可能となる。尚、締結ベルト１７と袖部１６との着脱は、図示しない面ファスナーによってなされる（後述する）。
【００４６】
次に、本考案に係る作業用手袋１の各パーツについて説明する。
【００４７】
図４は、本考案に係る縫製前の作業用手袋１の各パーツの展開図である。尚、図４の上下方向が作業用手袋１の各パーツの上下方向に対応し、図４の左右方向が作業用手袋１の各パーツの左右方向に対応する。又、以下に示す図面の作業用手袋１の各パーツは左手用であるが、これが右手用であっても実質的に差異はない。更に、図４では、作業用手袋１の各パーツに縫合される第一の補強材２１から第五の補強材２５までの位置と、面ファスナーの位置については破線で表示し、作業用手袋１の各パーツを折り曲げる折曲線については一点鎖線で表示している。
【００４８】
図４に示すように、本考案に係る作業用手袋１の主な生地は、掌面親指材１０と、掌材１１と、掌面中指材１２と、掌面薬指材１３と、甲面親指材１４と、甲材１５と、第一の補強材２１と、第二の補強材２２と、第三の補強材２３と、第四の補強材２４と、第五の補強材２５と、伸縮性に富む袖部１６と、締結バンド１７と、面ファスナー１８とから構成される。前記掌材１１は、人差指材１１ａの掌面部と小指材１１ｃの掌面部とに対応する生地が一体とされている。前記掌面中指材１２は、左右の側面部１２ａ、１２ｂ（左右の襠部）が掌面部の左右端部に一体とされている。前記掌面薬指材１３は、左右の側面部１３ａ、１３ｂが薬指材１３の掌面部の左右端部に一体とされている。前記甲材１５は、人差指材１５ａ、中指材１５ｂ、薬指材１５ｃ、小指材１５ｄの甲面部に対応する生地が一体とされている。尚、前記生地は、皮革、人工皮革等、種々の生地を使用しており、特に限定されるものではない。
【００４９】
掌面親指材１０は、親指３ａと人差指３ｂとの股の位置からやや下方斜めの方向に切り込みａが設けられており、その切り込みａによって掌面親指部材１０ａと親指付根周辺部材１０ｂとに区分されるとともに、当該掌面親指部材１０ａの下端縁Ａ１と親指付根周辺部材１０ｂの上端縁Ａ２とが、後述する掌材１１の舌部１１ｆの下端縁Ａ１‘、左端縁Ａ２‘に縫合されることになる。
【００５０】
掌材１１は、従来の掌材に係る中指材の掌面部に対応する生地を人差指材１１ａの左側面部１１ｃとするとともに、従来の掌材に係る薬指材の掌面部に対応する生地を小指材１１ｄの右側面部１１ｅとするように裁断されている。このように、人差指袋を形作る生地と、中指袋を形作る生地とを別個にすることにより、第二の補強材２２を人差指材１１ａの指先部近傍に、第五の補強材２５を掌面中指材１２の指先部近傍に縫合し易くしている。
【００５１】
又、掌材１１は、親指袋が縫合される親指穴Ｈが切除されるとともに、親指穴Ｈの上方に、親指３ａと人差指３ｂとの股の部分を覆う略四角状の舌部１１ｆが形成されている。当該構成により、作業用手袋１の親指袋と人差指袋とが、親指３ａと人差指３ｂとに対して適切にフィットするよう立体的に形成される。
【００５２】
又、掌材１１の人差指材１１ａの右端部１１ｂは、人差指３ｂの第一関節３ｂ１２の上方近傍ａ１から親指穴Ｈの上方近傍ａ２（親指袋の付根近傍）への延長線Ｌ３から甲側（右側）に略碗状に延出されている。当該構成により、第三の補強材２３、第四の補強材２４を人差指材１１ａの左端部１１ｂからはみ出ないように縫合することが可能となる。尚、甲材１５の人差指材１５ａの左端部１５ｅが、掌材１１の人差指材１１ａの右端部１１ｂの延出部１１ｂ１に対応した領域の生地１５ｅ１だけ切り落とされている。
【００５３】
又、掌材１１は、中指材に対応する生地の下側に切り込みｂが設けられ、この切り込みｂの先端部ｂ１から人差指材１１ａの先端部ｂ２までの第一の折曲線Ｌ４に沿って中指材の生地が甲側に折り曲げられて、人差指材１１ａの左側面部１１ｃが形作られる。そして、掌材１１は、掌材１１の薬指材に対応する生地の下側に切り込みｃが設けられ、この切り込みｃの先端部ｃ１から小指材１１ｄの先端部ｃ２までの第二の折曲線Ｌ５に沿って薬指材の生地が甲側に折り曲げられて、小指材１１ｄの右側面部１１ｅが形作られる。
【００５４】
又、掌面中指材１２は、掌面部１２ｃと当該掌面部１２ｃの左右両側に側面部１２ａ、１２ｂとを一体裁断して形成される。当該掌面中指材１２では、掌面部１２ｃと左側面部１２ａとを区分する第三の折曲線Ｌ６、掌面部１２ｃと右側面部１２ｂとを区分する第四の折曲線Ｌ７が設けられ、第三の折曲線Ｌ６で掌面中指材１２の左側面部１２ａが折り曲げられ、第四の折曲線Ｌ７で掌面中指材１２の右側面部１２ｂが折り曲げられる。又、掌面薬指材１３も、掌面中指材１２と同様に、掌面部１３ｃと当該掌面部１３ｃの左右両側に側面部１３ａ、１３ｂとを一体裁断して形成され、掌面部１３ｃと左側面部１３ａとを区分する第五の折曲線Ｌ８、掌面部１３ｃと右側面部１３ｂとを区分する第六の折曲線Ｌ９が設けられ、第五の折曲線Ｌ８で掌面薬指材１３の左側面部１３ａが折り曲げられ、第六の折曲線Ｌ９で掌面薬指材１３の右側面部１３ｂが折り曲げられる。
【００５５】
又、甲材１５は、人差指と中指との間、中指と薬指との間、薬指と小指との間にそれぞれ切り込みｄ、ｅ、ｆが設けられて、甲面人差指材１５ａ、甲面中指材１５ｂ、甲面薬指材１５ｃ、甲面小指材１５ｄが形成される。
【００５６】
又、第一の補強材２１は、親指３ａの先端部３ａ００から当該親指３ａの第一関節３ａ１２の上方近傍までの掌面部を覆うように略扇形状に形成される。又、第二の補強材２２は、人差指３ｂの先端部３ｂ００から当該人差指３ｂの第一関節３ｂ１２の上方近傍までの掌面部と左側面部とを覆うように、掌材１１の人差指材１１ａの掌面部から左側面部に至るまでの略扇形状に形成される。又、第五の補強材２５は、中指３ｃの先端部３ｃ００から当該中指３ｃの第一関節３ｃ１２の上方近傍までの掌面部と左右の側面部とを覆うように、掌面中指材１２の掌面部１２ｃから左右の側面部１２ａ、１２ｂに至るまでの略扇形状に形成される。当該構成により、親指３ａ、人差指３ｂ、中指３ｃの把持力が印加される指先部近傍の生地から側面部の生地までを補強することとなるから、指先部の生地に生じる貫通穴空きを確実に防止することが可能となる。
【００５７】
又、第三の補強材２３は、人差指３ｂの第一関節３ｂ１２の下方近傍から当該人差指３ｂの第二関節３ｄ２３の上方近傍までの掌面部を覆うように左右に幅広い略長方形状に裁断される。又、第四の補強材２４は、図３Ｂで示した上方ラインＬ１と下方ラインＬ２とに囲まれた掌面部を覆うように略Ｌ字状に裁断される。略Ｌ字状の屈曲部Ｂは、掌材１１の親指穴Ｈと舌部１１ｆとに重ならないように、掌材１１の親指穴Ｈの左側弧状端縁Ａ３‘の上方部が描く円弧に沿って切り落とされている。
【００５８】
次に、作業用手袋１の縫合手順について説明する。
【００５９】
まず、第一の補強材２１から第五の補強材２５までが、掌面親指材１０、掌材１１、掌面中指材１２の裏面にそれぞれ縫合される（ステップ１）。即ち、第一の補強材２１が掌面親指材１０の指先部近傍に縫合され、第二の補強材２２と第三の補強材２３とが掌材１１の人差指材１１ａの指先部近傍、掌面部に縫合され、第四の補強材２４が掌材１１の掌面部に縫合され、第五の補強材２５が掌面中指材１２の指先部近傍に縫合される。
【００６０】
次に、甲面親指材１４が、掌材１１に縫合された掌面親指材１０に縫合されて、作業用手袋１の親指袋が形成される（ステップ２）。即ち、掌面親指部材１０ａの下端縁Ａ１、親指付根周辺部材１０ｂの上端縁Ａ２、掌面親指材１０の左側弧状端縁Ａ３が、掌材１１の舌部１１ｆの下端縁Ａ１‘、左端縁Ａ２‘、掌材１１の親指穴Ｈの左側弧状端縁Ａ３‘にそれぞれ縫合されて、掌面親指材１０が掌材１１に縫合される。更に、甲面親指材１４の右側弧状端縁Ｂ１、右端縁Ｂ２が、掌材１１の親指穴Ｈの右側弧状端縁Ｂ１‘、掌材１１の舌部１１ｆの右端縁Ｂ２‘に縫合されて、甲面親指材１４が掌材１１に縫合される。そして、掌面親指材１０の周端縁Ａ４が、甲面親指材１４の周端縁Ａ４‘に縫合されて、親指袋が形成される。
【００６１】
続いて、掌材１１に掌面中指材１２、掌面薬指材１３が縫合される（ステップ３）。即ち、掌材１１の人差指材１１ａの左側面部１１ｃが第一の折曲線Ｌ４で折り曲げられ、小指材１１ｄの左側面部１１ｅが第二の折曲線Ｌ５で折り曲げられる。そして、掌面中指材１２が左右の第三の折曲線Ｌ６、第四の折曲線Ｌ７で折り曲げられて、掌面中指材１２の左右の側面部１２ａ、１２ｂが形成されるとともに、掌面薬指材１３が左右の第五の折曲線Ｌ８、第六の折曲線Ｌ９で折り曲げられて、掌面薬指材１３の左右の側面部１３ａ、１３ｂが形成される。続いて、掌面中指材１２の右側面部１２ｂの下端縁Ｃ１、掌面部１２ｃの下端縁Ｃ２が、掌材１１の人差指材１１ａの左側面部１１ｃの下端縁Ｃ１‘、人差指材１１ａの切り込みｂの中指材側上端縁Ｃ２‘に縫合されて、掌面中指材１２が掌材１１に縫合される。次に、掌面薬指材１３の左側面部１３ａの下端縁Ｄ１、掌面部１３ｃの下端縁Ｄ２が、掌材１１の小指材１１ｄの右側面部１１ｅの下端縁Ｄ１‘、小指材１１ｄ側の切り込みｃの薬指側上端縁Ｄ２‘に縫合されて、掌面薬指材１３が掌材１１に縫合される。最後に、掌面中指材１２の左側面部１２ａの下端縁Ｃ３と、掌面薬指材１３の右側面部１３ｂの下端縁Ｃ３‘とが縫合されて、掌材１１に掌面中指材１２と掌面薬指材１３とが形成される。
【００６２】
次に、掌面における各指材がそれぞれ形成された掌材１１と、既に各指の甲面部をそれぞれ有する甲材１５とが以下の手順により縫合されて、人差指袋から小指袋までが形成される（ステップ４）。
【００６３】
即ち、掌材１１の右端縁Ｅ１、人差指材１１ａの右端縁Ｅ２、人差指材１１ａの周辺縁Ｅ３が、甲材１５の左端縁Ｅ１‘、人差指材の左端縁、人差指材の周辺縁にそれぞれ縫合されて、人差指袋が形成される。
【００６４】
次に、掌面中指材１２の右側周辺縁Ｅ４、左側周辺縁Ｅ５が、甲材１５の中指材１５ｂの左側周辺縁Ｅ４‘と、右側周辺縁Ｅ５‘とにそれぞれ縫合され、中指袋が形成される。
【００６５】
更に、掌面薬指材１３の右側周辺縁Ｅ６、左側周辺縁Ｅ７が、甲材１５の薬指材１５ｃの左側周辺縁Ｅ６‘と、右側周辺縁Ｅ７‘とにそれぞれ縫合され、薬指袋が形成される。
【００６６】
最後に、掌材１１の小指材１１ｄの右側周辺縁Ｅ８、小指材１１ｄの左側周辺縁Ｅ９、掌材１１の左端縁Ｅ１０が、甲材１５の小指材１５ｄの左側周辺縁Ｅ８‘、小指材１５ｄの右側周辺縁Ｅ９‘、甲材１５の右端縁Ｅ１０‘とにそれぞれ縫合されて、小指袋が形成される。ここで、掌材１１の下方の左端縁Ｅ１１と、甲材１５の下方の右端縁Ｅ１１‘は相互に縫合されない。そのため、図１、図２に示すように、作業用手袋１の小指側の手首近傍に切欠ｋが形成される。
【００６７】
親指袋、人差指袋、中指袋、薬指袋、小指袋が形成されると、袖部１６が掌材１１と甲材１５との下端部に縫合される（ステップ５）。即ち、掌材１１の下端縁Ｆ１、甲材１５の下端縁Ｆ２が、袖部１６の上端縁Ｆ１‘、Ｆ２‘に連続して一周するように縫合される。ここで、前記袖部１６の左側端縁Ｆ３は、右側端縁Ｆ４と縫合されず、袖部１６が縫合された後は、上述した切欠ｋと連続した大きな切欠が設けられることとなる（図１、図２）。これにより、作業用手袋１の手首側の開口部ｋ０を大きく開くことが可能となり、作業用手袋１の手への着脱を容易にする。
【００６８】
そして、袖部１６の左側端縁Ｆ３に締結バンド１７の端縁Ｆ３‘が縫合される（ステップ６）。締結バンド１７が縫合された後に、作業用手袋１が裏返される（ステップ７）。作業用手袋１が裏返されると、締結バンド１７の裏面には多数の係着子からなる接着面ファスナー１８ａが縫い付けられるとともに、当該接着面ファスナー１８ａが当接する袖部１６の位置には、他方の係着子からなる被接着面ファスナー１８ｂが縫合される（ステップ８）。これにより、両者の面ファスナー１８ａ、１８ｂによって締結バンド１７の取り付け状態を調整することが可能となり、装着者毎に作業用手袋１のフィット感の調整が可能となる（図１、図２）。
【００６９】
このようにして、作業用手袋１の本体が出来上がる。
【００７０】
上記のように、本考案に係る作業用手袋１は、親指３ａの先端部３ａ００から下方に位置する当該親指の第一関節３ａ１２の上方近傍までの領域と、人差指３ｂの先端部３ｂ００から当該人差指３ｂの第一関節３ｂ１２の上方近傍までの領域と、人差指３ｂの第一関節３ｂ１２の下方近傍から当該人差指３ｂの第二関節３ｂ２３の上方近傍までの領域と、人差指３ｂの第二関節３ｂ２３の下方近傍と、中指３ｃ、薬指３ｄ、小指３ｅの中手指節関節３ｃ３４、３ｄ３４、３ｅ３４の上方近傍とを結ぶ線Ｌ１と、人差指３ｂの中手指節関節３ｂ３４の下方近傍と、中指３ｃ、薬指３ｄ、小指３ｅの手根中手関節３ｃ４５、３ｄ４５、３ｅ４５の上方近傍とを結ぶ線Ｌ２とに囲まれた領域に対応する掌面親指材１０、掌材１１の内側に４つの補強材２１〜２４を縫合している。更に、中指３ｃの先端部３ｃ００から当該中指３ｃの第一関節３ｃ１２の上方近傍までの領域とに対応する掌面中指材１２の内側に補強材２５を縫合している。
【００７１】
当該構成により、親指の第一関節、人差指の第一関節、第二関節、中指の第一関節、中指、薬指、小指の手根中手関節を除いた領域に縫合されており、５つの補強材２１〜２５が、装着者の手指の曲げ伸ばしを阻害することがないから、作業中に掌全体に掛かる窮屈感を軽減するとともに、掌材が容易に破れることがなく耐久性を向上させることが可能となる。又、掌面親指材、掌材、掌面中指材の内側から５つの補強材を縫合することによって５つの補強材の縫い代が外部に露出しないから、美観性に優れるとともに、縫い代が物に引っ掛かる等のトラブルも生じることがない。更に、物を把持する際に当該物との接触頻度が高い掌材の所定領域に絞って５つの補強材を設けているため、従来の作業用手袋と比較すると、無駄となる補強材の発生を防止するとともに、無駄な補強材を縫合する作業量を減少させ、コストパフォーマンスを高めることが可能となる。
【００７２】
尚、本考案の作業用手袋１では、第五の補強材２５を縫合するよう構成したが、第五の補強材２５が無くても、本考案の作用効果を十分に発揮する。
【００７３】
又、本考案の手袋１では、第一の補強材２１から第五の補強材２５までを掌面親指材１０、掌材１１、掌面中指材１２に縫合した後に、各パーツを縫合するよう構成したが、本考案の目的を損なわない範囲で、縫合手順を適宜変更しても構わない。また、本考案の作業用手袋１では、掌材１１の人差指材１１ａと甲材１５の人差指材１５ａとを縫合してから、最後に掌材１１の小指材１１ｄと甲材１５の小指材１５ｄとを縫合するよう構成したが、本考案の目的を損なわない範囲で、縫合手順を変更しても構わない。
【００７４】
又、本考案の作業用手袋１では、掌材１１に人差指材１１ａと小指材１１ｄとを連設させ、別個の生地として掌面中指材１２と掌面薬指材１３とを用意したが、他の構成でも構わない。例えば、本考案の目的を損なわない範囲で、掌材１１に中指材と薬指材とを連設させるよう構成し、人差指袋、中指袋、小指袋に対応する側面材を別個の生地として用意するよう構成しても構わない。
【００７５】
又、本考案の作業用手袋１に係る５つの補強材の形状は、本考案の目的を損なわない範囲で、装着者の手の大きさ、装着者が大人か小人か等の年齢、性別等に応じて、適宜設計変更しても構わない。
【００７６】
又、本考案の作業用手袋１の各パーツは、掌面親指材、掌材、掌面中指材、掌面薬指材、甲面親指材、甲材から構成されたが、本考案の目的を損なわない範囲で、生地の裁断方法等に応じて、各パーツの形状等を適宜変更しても構わない。例えば、親指材、人差指材、中指材、薬指材、小指材を備えた掌材と、人差指材、中指材、薬指材、小指材を備えた甲材から作業用手袋１の各パーツが構成されても構わない。
【００７７】
又、本考案の作業用手袋１では、本考案の目的を損なわない範囲で、甲材１５の中央近傍に左右に伸縮自在なゴムバンドを縫い付けて、作業用手袋１の手へのフィット感を向上させるよう構成しても構わない。
【００７８】
又、本考案に係る作業用手袋１に設けられた切欠ｋに、更に、図４に示す、柔軟性に富む三角布４０を縫合するよう構成しても構わない。つまり、作業用手袋１の切欠ｋを構成する左端縁（掌材１１の小指材１１ｄの下方の左端縁Ｅ１１と、袖部１６の左端縁Ｆ３）に、三角布の右端縁Ｇ１を縫合し、切欠ｋを構成する右端縁（甲材１５の小指材１５ｄの下方の右端縁Ｅ１１‘と、袖部１６の右端縁Ｆ４）に、三角布の左端縁Ｇ２を縫合するよう構成しても構わない。当該構成により、三角布が作業用手袋１の切欠ｋを覆うこととなり、当該切欠ｋに対応する手の領域が外部に露出することを防止する。
【産業上の利用可能性】
【００７９】
以上のように、本考案に係る作業用手袋は、スポーツ用手袋はもちろん、家庭用に用いられる作業用手袋から、漁業、土木作業、建築作業等種々の作業において使用される作業用手袋に有用であり、手に窮屈感が生じないとともに、耐久性、美観性に優れた作業用手袋として有効である。
【符号の説明】
【００８０】
１  作業用手袋
１０  掌面親指材
１１  掌材
１２  掌面中指材
１３  掌面薬指材
１４  甲面親指材
１５  甲材
１６  袖部
１７  締結バンド
１８  面ファスナー
２１  第一の補強材
２２  第二の補強材
２３  第三の補強材
２４  第四の補強材
２５  第五の補強材
【図１】
0003157045.tif 000003
【図２】
0003157045.tif 000004
【図３】
0003157045.tif 000005
【図４】
0003157045.tif 000006
【図５】
0003157045.tif 000007